(57)【要約】【課題】DSDデバイスを有していないパーソナルコンピュータにおいても、ファイルに格納されているDSDデータがどのような楽曲のものであるのかをユーザが確認することができるようにする。【解決手段】DSDデータを再生可能なデバイスが用意されておらず、PCMデータを再生可能なデバイスのみが用意されている場合、光ディスク４に記録されているDSDデータの取り込み時に、そのDSDデータがパーソナルコンピュータ１によりPCMデータに変換される。変換により得られたPCMデータはプレビュー用のオーディオデータとしてPCMデバイス２に供給され、PCMデバイス２により再生が行われる。本発明は、DSDデータを取り込むことが可能なパーソナルコンピュータなどに適用することができる。【選択図】図２
2006079741.tif 000002
【特許請求の範囲】
【請求項１】
他の機器によって生成された、DSD(Direct Stream Digital)データが格納されたファイルを処理する情報処理装置において、
前記情報処理装置自身の性能を評価する評価手段と、
前記DSDデータを、前記評価手段により評価された性能に応じたデータ量の、再生可能な符号化方式のオーディオデータに変換する変換手段と、
前記変換手段により得られた前記オーディオデータを、前記DSDデータを内蔵の記憶媒体に記憶させる前のプレビュー用のデータとして再生する再生手段と
を備えることを特徴とする情報処理装置。
【請求項２】
前記オーディオデータはPCM方式により符号化されたデータである
ことを特徴とする請求項１に記載の情報処理装置。
【請求項３】
他の機器によって生成された、DSD(Direct Stream Digital)データが格納されたファイルを処理する情報処理方法において、
前記情報処理装置自身の性能を評価する評価ステップと、
前記DSDデータを、前記評価ステップの処理により評価された性能に応じたデータ量の、再生可能な符号化方式のオーディオデータに変換する変換ステップと、
前記変換ステップの処理により得られた前記オーディオデータを、前記DSDデータを内蔵の記憶媒体に記憶させる前のプレビュー用のデータとして再生する再生ステップと
を含むことを特徴とする情報処理方法。
【請求項４】
他の機器によって生成された、DSD(Direct Stream Digital)データが格納されたファイルの処理をコンピュータに実行させるプログラムにおいて、
前記情報処理装置自身の性能を評価する評価ステップと、
前記DSDデータを、前記評価ステップの処理により評価された性能に応じたデータ量の、再生可能な符号化方式のオーディオデータに変換する変換ステップと、
前記変換ステップの処理により得られた前記オーディオデータを、前記DSDデータを内蔵の記憶媒体に記憶させる前のプレビュー用のデータとして再生する再生ステップと
を含むことを特徴とするプログラム。
【発明の詳細な説明】
【技術分野】
【０００１】
本発明は、情報処理装置および方法、並びにプログラムに関し、特に、DSD(Direct Stream Digital)デバイスを有していない場合でも、ファイルに格納されているDSDデータがどのような楽曲のものであるのかをユーザが確認することができるようにする情報処理装置および方法、並びにプログラムに関する。
【背景技術】
【０００２】
近年、レコードやカセットテープなどのアナログ音源からのオーディオ信号や、CD(Compact Disk)やDAT(Digital Audio Tape)などのディジタル音源からのディジタルオーディオデータをパーソナルコンピュータに取り込み、エフェクトやアレンジなどの各種の編集を施すことによって自分好みのオーディオデータを作成する、いわゆるDTM(Desk Top Music)が人気を博している。
【０００３】
このようなDTMにおいては、高音質化の要望も高く、例えば、４４．１KHz／１６bitの音楽CDのオーディオデータ（PCM(Pulse Code Modulation)方式によって符号化されたオーディオデータ）を、９６KHzやそれ以上のサンプリング周波数にアップサンプリングしたり、２０bit、２４bitなどの量子ビット数により再量子化したりすることが行われている。これにより、基本的に、音楽CDのものよりも高音質なオーディオデータが得られる。
【０００４】
ところで、音楽CDよりも高音質なオーディオデータのフォーマットとしてSACD(Super Audio CD)フォーマットがあり、SACDに記録されているオーディオデータの符号化方式にはDSD方式が採用されている。
【０００５】
ここで、DSD方式について簡単に説明する。
【０００６】
DSD方式は、図１に示すように、PCM方式が、例えば、サンプリング周波数４４．１KHz（以下、適宜、１fsと示す）、量子ビット数１６bitで音声信号を表すものであるのに対して、その６４倍のサンプリング周波数４４．１KHz×６４＝２．８２２４MHz（６４fs）、１bitのデータで音声信号を表す符号化方式である。図１の１つのブロックは１bitのデータを表す。
【０００７】
DSD方式によれば、音声信号のレベルの大小をパルス波形（１，０）の密度で表すことができるから、空間を伝達する音波そのものに近い波形を表現することができ、１００KHzを超える再生帯域と、高いダイナミックレンジを確保することが可能となる。
【０００８】
DSDについては特許文献１に開示されている。また、CDから取り込んだマルチビットデータ（１６bit）であるオーディオデータをDSDデータ（DSD方式により符号化されたオーディオデータ）に変換する技術が特許文献２に開示されている。さらに、DSDデータに対して、フェードイン／アウトなどの振幅成分の処理を施すことを可能にする技術が特許文献３に開示されている。
【０００９】
【特許文献１】特開平６−２３２７５５号公報
【特許文献２】特開平９−２６１０７１号公報
【特許文献３】特開平８−２７４６４４号公報
【発明の開示】
【発明が解決しようとする課題】
【００１０】
ところで、現状では、DSDデータを再生することのできるデバイスであるDSDデバイスがパーソナルコンピュータに用意されていることは少ない。
【００１１】
従って、例えば、上述したようなDTMを行っているユーザにより作成されたDSDファイル（DSDデータが格納されたファイル）をもらった場合であっても、DSDファイルをもらったユーザのパーソナルコンピュータにDSDデバイスが用意されていないときには、そのユーザは、DSDファイルに格納されているDSDデータがどのような楽曲のものであるのかを確認することができない。
【００１２】
本発明はこのような状況に鑑みてなされたものであり、DSDデバイスを有していないパーソナルコンピュータにおいても、ファイルに格納されているDSDデータがどのような楽曲のものであるのかをユーザが確認することができるようにするものである。
【課題を解決するための手段】
【００１３】
本発明の情報処理装置は、他の機器によって生成された、DSDデータが格納されたファイルを処理する情報処理装置であって、情報処理装置自身の性能を評価する評価手段と、DSDデータを、評価手段により評価された性能に応じたデータ量の、再生可能な符号化方式のオーディオデータに変換する変換手段と、変換手段により得られたオーディオデータを、DSDデータを内蔵の記憶媒体に記憶させる前のプレビュー用のデータとして再生する再生手段とを備えることを特徴とする。
【００１４】
オーディオデータはPCM方式により符号化されたデータであるようにすることができる。
【００１５】
本発明の情報処理方法は、他の機器によって生成された、DSDデータが格納されたファイルを処理する情報処理方法であって、情報処理装置自身の性能を評価する評価ステップと、DSDデータを、評価ステップの処理により評価された性能に応じたデータ量の、再生可能な符号化方式のオーディオデータに変換する変換ステップと、変換ステップの処理により得られたオーディオデータを、DSDデータを内蔵の記憶媒体に記憶させる前のプレビュー用のデータとして再生する再生ステップとを含むことを特徴とする。
【００１６】
本発明のプログラムは、他の機器によって生成された、DSDデータが格納されたファイルの処理をコンピュータに実行させるプログラムであって、情報処理装置自身の性能を評価する評価ステップと、DSDデータを、評価ステップの処理により評価された性能に応じたデータ量の、再生可能な符号化方式のオーディオデータに変換する変換ステップと、変換ステップの処理により得られたオーディオデータを、DSDデータを内蔵の記憶媒体に記憶させる前のプレビュー用のデータとして再生する再生ステップとを含むことを特徴とする。
【００１７】
本発明の情報処理装置および方法、並びにプログラムにおいては、情報処理装置自身の性能が評価され、DSDデータが、評価された性能に応じたデータ量の、再生可能な符号化方式のオーディオデータに変換される。また、変換により得られたオーディオデータが、DSDデータを内蔵の記憶媒体に記憶させる前のプレビュー用のデータとして再生される。
【発明の効果】
【００１８】
本発明によれば、DSDデバイスを有していないパーソナルコンピュータにおいても、ファイルに格納されているDSDデータがどのような楽曲のものであるのかをユーザが確認することができる。
【発明を実施するための最良の形態】
【００１９】
以下に本発明の実施の形態を説明するが、本明細書に記載の発明と、発明の実施の形態との対応関係を例示すると、次のようになる。この記載は、請求項に記載されている発明をサポートする実施の形態が本明細書に記載されていることを確認するためのものである。従って、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２０】
さらに、この記載は、本明細書に記載されている発明の全てを意味するものではない。換言すれば、この記載は、本明細書に記載されている発明であって、この出願では請求されていない発明の存在、すなわち、将来、分割出願されたり、補正により追加される発明の存在を否定するものではない。
【００２１】
請求項１に記載の情報処理装置は、他の機器によって生成された、DSDデータが格納されたファイルを処理する情報処理装置であって、前記情報処理装置自身の性能を評価する評価手段（例えば、図４の評価部４３）と、前記DSDデータを、前記評価手段により評価された性能に応じたデータ量の、再生可能な符号化方式のオーディオデータに変換する変換手段（例えば、図４のLPF４２）と、前記変換手段により得られた前記オーディオデータを、前記DSDデータを内蔵の記憶媒体に記憶させる前のプレビュー用のデータとして再生する再生手段（例えば、図４の再生制御部４５）とを備えることを特徴とする。
【００２２】
請求項３に記載の情報処理方法は、他の機器によって生成された、DSDデータが格納されたファイルを処理する情報処理方法であって、前記情報処理装置自身の性能を評価する評価ステップ（例えば、図６のステップＳ１１）と、前記DSDデータを、前記評価ステップの処理により評価された性能に応じたデータ量の、再生可能な符号化方式のオーディオデータに変換する変換ステップ（例えば、図６のステップＳ１２）と、前記変換ステップの処理により得られた前記オーディオデータを、前記DSDデータを内蔵の記憶媒体に記憶させる前のプレビュー用のデータとして再生する再生ステップ（例えば、図６のステップＳ１３）とを含むことを特徴とする。
【００２３】
請求項４に記載のプログラムにおいても、各ステップが対応する実施の形態（但し一例）は、請求項３に記載の情報処理方法と同様である。
【００２４】
図２は、本発明を適用した録音・再生システムの構成例を示す図である。
【００２５】
図２の録音・再生システムは、パーソナルコンピュータ１とPCMデバイス２が、例えば、USB(Universal Serial Bus)ケーブル３を介して接続されることによって構成される。
【００２６】
パーソナルコンピュータ１は、例えば、光ディスク４からDSDデータ（DSD方式により符号化されたオーディオデータ）を取り込み、取り込んだDSDデータを内蔵のHDD(Hard Disk Drive)に記憶させる。HDDに記憶されたDSDデータは、適宜、それを対象としてユーザにより編集等が行われる。
【００２７】
また、パーソナルコンピュータ１は、USBケーブル３を介してPCMデバイス２を制御し、PCMデバイス２に出力したPCMデータ（PCM方式により符号化されたオーディオデータ）を再生させる。このように、図２の例においては、パーソナルコンピュータ１は、PCMデータを再生可能なデバイスは有しているが、DSDデータを再生可能なデバイスは有していないものとする。
【００２８】
PCMデバイス２はPCMデータを再生可能なオーディオデバイスであり、パーソナルコンピュータ１によりUSBケーブル３を介して行われる制御に従って駆動する。PCMデバイス２は、例えば、パーソナルコンピュータ１から供給されてきたPCMデータを再生し、再生して得られたオーディオ信号に対応する音を図示せぬスピーカから出力させる。
【００２９】
光ディスク４には、例えば、図示せぬ他のパーソナルコンピュータにより生成されたDSDデータを格納するDSDファイルが記録されている。
【００３０】
このような各機器からなる録音・再生システムにおいては、例えば、光ディスク４に記録されているDSDデータの取り込み時に、取り込み対象のDSDデータがパーソナルコンピュータ１によりPCMデータに変換され、得られたPCMデータがプレビュー用のオーディオデータ（以下、適宜、プレビュー用PCMデータという）として用いられる。
【００３１】
すなわち、DSDデータのままでは、パーソナルコンピュータ１はそれを再生することができないから、DSDデータに基づいて生成されたPCMデータがプレビュー用PCMデータとしてパーソナルコンピュータ１からPCMデバイス２に供給され、PCMデバイス２により、その再生が行われる。
【００３２】
これにより、ユーザは、DSDデータを再生可能なデバイスがパーソナルコンピュータ１に用意されていない場合であっても、これから取り込んで編集しようとするDSDデータがどのような楽曲のものであるのかを確認することができる（確認してから取り込むことができる）。
【００３３】
なお、プレビュー用であれば、ある程度の音質が確保されていれば十分であり、一般的に、プレビュー時には音質よりもリアルタイム性が要求されるから、DSDデータに基づいて生成されるPCMデータは、パーソナルコンピュータ１にとって再生が容易な、パーソナルコンピュータ１のハードウェアの性能に応じたデータ量のものとされる。
【００３４】
例えば、パーソナルコンピュータ１の性能が低い場合、再生が容易な、データ量の少ないPCMデータがプレビュー用PCMデータとしてDSDデータに基づいて生成される。データ量の多いPCMデータがプレビュー用PCMデータとされた場合、性能の低いパーソナルコンピュータ１によっては、その再生を容易に行うことができず、音質は確保できるが、リアルタイム性が損なわれることになる。
【００３５】
ここで、パーソナルコンピュータ１の性能は、例えば、パーソナルコンピュータ１のCPU(Central Processing Unit)の性能（クロック周波数やキャッシュメモリの容量等）、メモリの容量等によって定められる。また、プレビュー用PCMデータのデータ量の多い／少ないは、例えば、サンプリング周波数、量子化ビット数等に基づいて定められる。
【００３６】
以上のような、DSDデータを変換して得られるPCMデータをプレビュー用PCMデータとして用いるパーソナルコンピュータ１の処理についてはフローチャートを参照して後述する。
【００３７】
図３は、図２のパーソナルコンピュータ１の構成例を示すブロック図である。
【００３８】
CPU１１は、ROM(Read Only Memory)１２に記憶されているプログラム、または、HDD１８からRAM(Random Access Memory)１３にロードされたプログラムに従って各種の処理を実行する。RAM１３にはまた、CPU１１が各種の処理を実行する上において必要なデータなどが適宜記憶される。
【００３９】
CPU１１、ROM１２、およびRAM１３は、バス１４を介して相互に接続されている。このバス１４にはまた、入出力インタフェース１５も接続されている。
【００４０】
入出力インタフェース１５には、入力部１６、表示部１７、HDD１８、通信部１９、およびUSBインタフェース２０が接続される。
【００４１】
入力部１６は、キーボード、マウスなどよりなり、表示部１７は、LCD(Liquid Crystal Display)などよりなる。
【００４２】
HDD１８は、内蔵するハードディスクにDSDデータなどの各種のデータを記憶する。図３の例においては、HDD１８にはオーディオデータ処理アプリケーション３１も記憶されている。オーディオデータ処理アプリケーション３１は、CPU１１により実行され、DSDデータ、PCMデータ等のオーディオデータの処理に関する各種の機能を実現する。
【００４３】
通信部１９は、ネットワークを介しての通信処理を行い、USBインタフェース２０は、USBケーブル３を介してPCMデバイス２との間で通信を行う。USBインタフェース２０からPCMデバイス２に対しては、上述したように、DSDデータに基づいて生成されたプレビュー用PCMデータが供給される。
【００４４】
入出力インタフェース１５にはまた、必要に応じてドライブ２１が接続される。ドライブ２１には、磁気ディスク、光ディスク（図２の光ディスク４を含む）、光磁気ディスク、或いは半導体メモリなどよりなるリムーバブルメディア２２が適宜装着され、リムーバブルメディア２２から読み出されたコンピュータプログラムが、必要に応じてHDD１８にインストールされる。
【００４５】
図３の例においては、リムーバブルメディア２２にはDSDファイル３２が記録されており、例えば、DSDファイル３２に格納されているDSDデータの取り込み時に、プレビュー用PCMデータに基づくプレビュー再生が行われる。
【００４６】
図４は、パーソナルコンピュータ１の機能構成例を示すブロック図である。図４に示すパーソナルコンピュータ１の各機能部は、図３のCPU１１によりオーディオデータ処理アプリケーション３１が実行されることによって実現される。
【００４７】
取り込み部４１は、例えば、リムーバブルメディア２２のDSDファイル３２が取り込み対象のDSDデータが格納されているファイルとしてユーザにより選択された場合、DSDデータ（６４fs／１bit）を取り込み、取り込んだDSDデータをLPF４２に出力する。
【００４８】
また、取り込み部４１は、DSDファイル３２から取り込んだDSDデータを所定のタイミングでHDD１８に記憶させ、DSDデータのインポートを実現する。インポートされたDSDデータは、適宜、それを対象としてユーザにより編集等が行われる。
【００４９】
LPF４２は、評価部４３によるパーソナルコンピュータ１の性能の評価結果に応じて、PCMデータの生成に用いるフィルタのタップ数を変更するなどしてデータ量を調整し、取り込み部４１から供給されてきたDSDデータに基づいてPCMデータを生成する。図４の例においては、３２bit（１fs／３２bit）のPCMデータがLPF４２により生成され、生成されたPCMデータがノイズシェーパ４４に出力されている。なお、LPF４２には、例えば、Intel Performance Primitive(IPP)のLPFを用いることが可能である。
【００５０】
評価部４３は、例えば、CPU１１のクロック周波数やRAM１３の容量等を参照することによってパーソナルコンピュータ１自身のハードウェア性能等を評価し、評価結果をLPF４２に出力する。
【００５１】
ノイズシェーパ４４は、LPF４２から供給されてきた３２bitのPCMデータから例えば１６bitのPCMデータを生成する。この変換には、例えば、変換元のPCMデータの音質を保ちつつ、量子化ビット数だけを下げるSBM(Super Bit Mapping)が用いられる。リアルタイム性を重視する場合、SBMなどは行われず、単なるデータの間引きが行われるようにしてもよい。ノイズシェーパ４４により生成されたPCMデータは、プレビュー用PCMデータとして再生制御部４５に供給される。
【００５２】
再生制御部４５は、ノイズシェーパ４４から供給されてきたプレビュー用PCMデータをUSBケーブル３を介してPCMデバイス２に供給し、プレビュー用PCMデータの再生を行わせる。
【００５３】
次に、以上のような構成を有するパーソナルコンピュータ１の動作について説明する。
【００５４】
始めに、図５のフローチャートを参照して、DSDデータのインポートを行うパーソナルコンピュータ１の処理について説明する。
【００５５】
この処理は、例えば、パーソナルコンピュータ１にPCMデバイス２が接続された状態でオーディオデータ処理アプリケーション３１が実行されたときに行われる。
【００５６】
ステップＳ１において、取り込み部４１は、例えば、ユーザによる操作に応じて、オーディオデータ処理アプリケーション３１のモードをPCMモードに設定する。このとき、ユーザは、DSDデータに基づいて生成されるプレビュー用PCMデータにより、DSDデータをプレビューすることができる。
【００５７】
ステップＳ２において、取り込み部４１は、例えば、ユーザによる操作に応じて、インポートするDSDデータを格納するDSDファイルを選択し、ステップＳ３に進み、プレビュー再生処理を行う。プレビュー再生処理においては、基本的に、プレビュー用PCMデータの生成と、その再生が行われる。ステップＳ３において行われるプレビュー再生処理の詳細については図６のフローチャートを参照して後述する。
【００５８】
プレビュー再生処理が行われ、例えば、ユーザによりDSDデータのインポートを実行することが指示された場合、取り込み部４１は、リムーバブルメディア２２からDSDデータを取り込み、取り込んだDSDデータをHDD１８に記憶させる。
【００５９】
次に、図６のフローチャートを参照して、図５のステップＳ３において行われるプレビュー再生処理について説明する。
【００６０】
ステップＳ１１において、評価部４３は、パーソナルコンピュータ１自身のハードウェア性能を評価し、評価結果をLPF４２に出力する。
【００６１】
ステップＳ１２において、LPF４２は、評価部４３によるパーソナルコンピュータ１の性能の評価結果に応じて、タップ数を変えるなどして所定のデータ量のPCMデータを取り込み部４１から供給されてきたDSDデータに基づいて生成し、生成したPCMデータをノイズシェーパ４４に出力する。ノイズシェーパ４４は、LPF４２から供給されてきたPCMデータの量子化ビット数を減らすなどしてプレビュー用PCMデータを生成し、生成したプレビュー用PCMデータを再生制御部４５に出力する。
【００６２】
ステップＳ１３において、再生制御部４５は、ノイズシェーパ４４から供給されてきたプレビュー用PCMデータをUSBケーブル３を介してPCMデバイス２に供給し、プレビュー用PCMデータの再生を行わせる。
【００６３】
以上の処理により、パーソナルコンピュータ１のユーザは、パーソナルコンピュータ１にDSDデータを再生可能なデバイスが用意されていない場合であっても、リムーバブルメディア２２に記録されているDSDデータが、どのような楽曲のものであるのかを確認し、インポートすることができる。
【００６４】
以上においては、DSDデータに基づいて生成されるオーディオデータがPCMデータである場合について説明したが、例えば、ATRAC(Adaptive Transform Acoustic Coding)3，MP3(MPEG Audio Layer-3)，WMA(Windows（登録商標） Media Audio)などの、パーソナルコンピュータ１が再生可能な所定のフォーマットで圧縮されたデータがプレビュー用のデータとしてDSDデータに基づいて生成されるようにしてもよい。
【００６５】
また、以上においては、DSDデータに基づくPCMデータの生成は、DSDデータのインポート前のプレビューのために行われるものとしたが、例えば、単に、DSDデバイスを有していないパーソナルコンピュータ１を用いて、ユーザがDSDデータの楽曲を聴くために行われるようにしてもよい。
【００６６】
この場合、例えば、DSDデータを再生可能なDSDデバイスがパーソナルコンピュータ１に用意されているときには、そのDSDデバイスによりDSDデータがそのまま再生され、DSDデータを再生可能なDSDデバイスが用意されておらず、PCMデータを再生可能なPCMデバイスがのみ用意されているときには、そのPCMデバイスにより、DSDデータを変換して得られるPCMデータが再生される。これにより、ユーザは、PCMデータの再生音を聞きながら、DSDデバイスが用意されていないパーソナルコンピュータ１を用いて、DSDデータの編集等を行うこともできる。
【００６７】
このように、DSDデータに基づいて生成されたPCMデータは、様々な用途に用いることも可能である。
【００６８】
上述した一連の処理は、ハードウェアにより実行させることもできるが、ソフトウェアにより実行させることもできる。
【００６９】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７０】
この記録媒体は、図３に示されるように、装置本体とは別に、ユーザにプログラムを提供するために配布される、プログラムが記録されている磁気ディスク（フレキシブルディスクを含む）、光ディスク（CD-ROM(Compact Disk-Read Only Memory)，DVD(Digital Versatile Disk)を含む）、光磁気ディスク（MD（登録商標）(Mini-Disk)を含む）、もしくは半導体メモリなどよりなるリムーバブルメディア２２により構成されるだけでなく、装置本体に予め組み込まれた状態でユーザに提供される、プログラムが記録されているROM１２や、HDD１８に含まれるハードディスクなどで構成される。
【００７１】
なお、本明細書において、各ステップは、記載された順序に従って時系列的に行われる処理はもちろん、必ずしも時系列的に処理されなくとも、並列的あるいは個別に実行される処理をも含むものである。
【００７２】
また、本明細書において、システムとは、複数の装置により構成される装置全体を表すものである。
【図面の簡単な説明】
【００７３】
【図１】PCMデータとDSDデータのサンプリングの例を示す図である。
【図２】本発明を適用した録音・再生システムの構成例を示す図である。
【図３】図２のパーソナルコンピュータの構成例を示すブロック図である。
【図４】パーソナルコンピュータの機能構成例を示すブロック図である。
【図５】パーソナルコンピュータのインポート処理について説明するフローチャートである。
【図６】図５のステップＳ３において行われるプレビュー再生処理について説明するフローチャートである。
【符号の説明】
【００７４】
１  パーソナルコンピュータ，  ２  PCMデバイス，  ３  USBケーブル，  ４  光ディスク，  ３１  オーディオデータ処理アプリケーション，  ４１  取り込み部，  ４２  LPF，  ４３  評価部，  ４４  ノイズシェーパ，  ４５  再生制御部
【図１】
2006079741.tif 000003
【図２】
2006079741.tif 000004
【図３】
2006079741.tif 000005
【図４】
2006079741.tif 000006
【図５】
2006079741.tif 000007
【図６】
2006079741.tif 000008